(57)【要約】  ユーティリティー機器との連結が可能で、設置、増設等が容易であり、更に太陽光発電やコ・ジェネレーションとも協調運転可能である照明ユニットパネルを提供する。前記照明ユニットパネルは、その表面に直流駆動される直流駆動型面状光源と、直流を通電する直流配線と、前記直流配線に接続された２つ以上の接続端子（コネクター）と、を有し、前記直流駆動型面状光源の一部は直流駆動型ユーティリティー機器と置き換えることができる。また、前記コネクターは、電源コネクター及び他の照明ユニットパネルのコネクターと接続され、配線を増設しなくとも電力を供給することができる。更に、前記直流配線は、商用電力以外に太陽光発電システム、コ・ジェネレーションシステム及び燃料電池の何れか１つ以上と接続される。
2009072386.tif 000002
【特許請求の範囲】
【請求項１】
室を形成する面に配設され、少なくとも前記面の１面を構成する照明ユニットパネルであって、前記照明ユニットパネルの表面に直流駆動される直流駆動型面状光源と、直流を通電する直流配線と、前記直流配線に接続された２つ以上の接続端子と、を有することを特徴とする照明ユニットパネル。
【請求項２】
前記照明ユニットパネルが四角形状であり、前記四角形状の４辺にそれぞれ前記接続端子を有することを特徴とする請求の範囲第１項に記載の照明ユニットパネル。
【請求項３】
前記直流駆動型面状光源は、有機エレクトロルミネッセンス光源であることを特徴とする請求の範囲第１項または第２項に記載の照明ユニットパネル。
【請求項４】
前記表面に直流駆動型面状光源と直流駆動型ユーティリティー機器を有することを特徴とする請求の範囲第１項乃至第３項の何れか１項に記載の照明ユニットパネル。
【請求項５】
前記直流駆動型ユーティリティー機器は、火災報知器、音響スピーカー、非常灯、非常ベル、監視カメラの何れか１つ以上であることを特徴とする請求の範囲第４項に記載の照明ユニットパネル。
【請求項６】
前記直流駆動型面状光源と前記直流駆動型ユーティリティー機器は電源が共通であることを特徴とする請求の範囲第４項または第５項に記載の照明ユニットパネル。
【請求項７】
前記表面に直流駆動型面状光源と空調換気口を有することを特徴とする請求の範囲第１項乃至第３項の何れか１項に記載の照明ユニットパネル。
【請求項８】
前記表面の直流駆動型面状光源以外の部分に、吸音材を配設したことを特徴とする請求の範囲第１項乃至第３項の何れか１項に記載の照明ユニットパネル。
【請求項９】
前記表面に直流駆動型面状光源と室内の音声位相差コントロール機能を有する音響スピーカーを有することを特徴とする請求の範囲第１項乃至第３項の何れか１項に記載の照明ユニットパネル。
【請求項１０】
前記直流配線に蓄電池が接続されていることを特徴とする請求の範囲第１項乃至第９項の何れか１項に記載の照明ユニットパネル。
【請求項１１】
前記蓄電池は、照明ユニットパネルに内蔵されていることを特徴とする請求の範囲第１０項に記載の照明ユニットパネル。
【請求項１２】
人を感知する人追尾センサを有し、前記照明ユニットパネルの照明光は、前記人追尾センサで感知した人の周囲を照明することを特徴とする請求の範囲第１項乃至第１１項の何れか１項に記載の照明ユニットパネル。
【請求項１３】
前記直流配線が、太陽光発電システム、コ・ジェネレーションシステム、燃料電池の１つ以上を有する直流システムと接続されていることを特徴とする請求の範囲第１項乃至第１２項の何れか１項に記載の照明ユニットパネル。
【請求項１４】
前記直流システムは、外部の直流機器と接続する接続口を有することを特徴とする請求の範囲第１３項に記載の照明ユニットパネル。
【発明の詳細な説明】
【技術分野】
【０００１】
本発明は、室内を照明する照明ユニットパネルに関する。詳しくは、直流駆動型面状光源を有する照明ユニットパネルに関する。
【背景技術】
【０００２】
従来から室内の照明に電球や蛍光灯の光源と凹面鏡（シェード）を組み合わせた電球照明装置が用いられてきている。【０００３】
しかしながら、前記電球照明装置はその形状や大きさから、設置する室（部屋）を形成する面、例えば壁面や天井をくりぬいて設置するか、壁面や天井から出っ張らせて設置せざるを得なかった。このため、設計やデザインに制限が生じた。また、近年、照明を単に実用面だけでとらえるのではなく夜間の演出としてとらえ、より心地よさを与えるものとして考えられてきているが、前記電球照明装置ではこれに柔軟に対応することが困難である。【０００４】
上記に対し、近年一般的に知られるようになった面状光源は、形状が前記電球光源に対し薄くできること等、形状や大きさから照明への利用が期待されている。前記面状光源としては、代表的なものにエレクトロルミネッセンス（電界発光素子）がある。【０００５】
前記面状光源に関し、少なくとも一部分に面状の発光体を配した天井が開示されている（例えば、特許文献１参照）。
【特許文献１】特開平１０−１６９０７５号公報
【発明の開示】
【発明が解決しようとする課題】
【０００６】
特許文献１は、少なくとも天井の一部の面に省電力で発光する面状の発光体を配して広範囲に亘って発光させるものである。また、天井に対して後で発光体を取り付けるのは困難な作業であることから発光体をボードと予め一体に形成してパネルとし、パネルを取り付けて天井を形成する際にリード線の接続も同時に行うものである。【０００７】
前記面状光源用いた照明装置である照明ユニットパネルを、室を形成する面、例えば壁面や天井に配設する場合、複数配設されることが多い。また、前記壁面や天井には照明装置以外に火災報知器の熱、煙等の感知器、音響スピーカー等のユーティリティー機器（以下、機器ともいう）が設けられることが多く、これらの照明ユニットパネル及び機器にも電力を供給する必要がある。前記照明ユニットパネル及び機器は、後で増設、交換されることも多い。【０００８】
しかしながら、特許文献１では前記増設等に対する対応は困難であった。即ち、天井に配設された電力供給用の配線の状況によっては、前記照明ユニットパネル及び前記機器の増設は困難だったり、配線の増設が必要となったりした。【０００９】
本発明は上記状況に鑑みなされたもので、ユーティリティー機器との連結が可能で、設置、増設等が容易であり、更に太陽光発電やコ・ジェネレーションとも協調運転可能である照明ユニットパネルを提供することを目的とする。
【課題を解決するための手段】
【００１０】
上記目的は、下記の構成で達成される。【００１１】
１．室を形成する面に配設され、少なくとも前記面の１面を構成する照明ユニットパネルであって、前記照明ユニットパネルの表面に直流駆動される直流駆動型面状光源と、直流を通電する直流配線と、前記直流配線に接続された２つ以上の接続端子と、を有することを特徴とする照明ユニットパネル。【００１２】
２．前記照明ユニットパネルが四角形状であり、前記四角形状の４辺にそれぞれ前記接続端子を有することを特徴とする１に記載の照明ユニットパネル。【００１３】
３．前記直流駆動型面状光源は、有機エレクトロルミネッセンス光源であることを特徴とする１または２に記載の照明ユニットパネル。【００１４】
４．前記表面に直流駆動型面状光源と直流駆動型ユーティリティー機器を有することを特徴とする１乃至３の何れか１項に記載の照明ユニットパネル。【００１５】
５．前記直流駆動型ユーティリティー機器は、火災報知器、音響スピーカー、非常灯、非常ベル、監視カメラの何れか１つ以上であることを特徴とする４に記載の照明ユニットパネル。【００１６】
６．前記直流駆動型面状光源と前記直流駆動型ユーティリティー機器は電源が共通であることを特徴とする４または５に記載の照明ユニットパネル。【００１７】
７．前記表面に直流駆動型面状光源と空調換気口を有することを特徴とする１乃至３の何れか１項に記載の照明ユニットパネル。【００１８】
８．前記表面の直流駆動型面状光源以外の部分に、吸音材を配設したことを特徴とする１乃至３の何れか１項に記載の照明ユニットパネル。【００１９】
９．前記表面に直流駆動型面状光源と室内の音声位相差コントロール機能を有する音響スピーカーを有することを特徴とする１乃至３の何れか１項に記載の照明ユニットパネル。【００２０】
１０．前記直流配線に蓄電池が接続されていることを特徴とする１乃至９の何れか１項に記載の照明ユニットパネル。【００２１】
１１．前記蓄電池は、照明ユニットパネルに内蔵されていることを特徴とする１０に記載の照明ユニットパネル。【００２２】
１２．人を感知する人追尾センサを有し、前記照明ユニットパネルの照明光は、前記人追尾センサで感知した人の周囲を照明することを特徴とする１乃至１１の何れか１項に記載の照明ユニットパネル。【００２３】
１３．前記直流配線が、太陽光発電システム、コ・ジェネレーションシステム、燃料電池の１つ以上を有する直流システムと接続されていることを特徴とする１乃至１２の何れか１項に記載の照明ユニットパネル。【００２４】
１４．前記直流システムは、外部の直流機器と接続する接続口を有することを特徴とする１３に記載の照明ユニットパネル。
【発明の効果】
【００２５】
照明ユニットパネルと各種ユーティリティー機器との連結が容易にでき、増設、交換が容易に行うことができる。また、太陽光発電やコ・ジェネレーションとも協調運転を行うことにより、省電力化及び環境負荷削減を図ることができる。
【図面の簡単な説明】
【００２６】
【図１】照明ユニットパネルをその表面方向から見た概略図である。
【図２】照明ユニットパネルをその側面方向から見た概略図である。
【図３】照明ユニットパネルを複数接続する例を示す図である。
【図４】照明ユニットパネルの表面にユーティリティー機器を配設した例である。
【図５】照明ユニットパネルの表面に、空調換気口を設けた例である。
【図６】照明ユニットパネルに吸音材を配設した例である。
【図７】照明ユニットパネルに蓄電池を内蔵した例である。
【図８】直流電力に、太陽光発電システム、コ・ジェネレーションシステム及び燃料電池を接続した例を示す図である。
【図９】複数の照明ユニットパネルを天井に配設した例である。
【図１０】面状光源を直列接続した例を示す図である。
【図１１】面状光源に用いている有機ＥＬ素子の概略図である。
【図１２】配線のみを備えた配線パネル（ダミーパネル）の例を示す図である。
【図１３】照明ユニットパネル及び配線パネルを全面に配設した例である。
【図１４】コネクターの一例を示す図である。
【符号の説明】
【００２７】
１ａ  電源コネクター
１ｂ  電源配線
１１  照明ユニットパネル
１０１  基台
１０２  面状光源
１３１、１３２  直流配線
１３１ａ、１３１ｂ、１３２ａ、１３２ｂ  コネクター
１４１  ユーティリティー機器
１４２  空調換気口
１４３  吸音材
１５１  蓄電池
２  空調設備
２１  配線パネル
【発明を実施するための最良の形態】
【００２８】
以下、図を参照しながら本発明の実施の形態を説明するが、本発明はこれに限定されるものではない。【００２９】
本発明に係る直流駆動型面状光源（以下、面状光源とも略す）としては、透明樹脂を使用した導光板若しくは拡散板の端面から、発光ダイオード等の光源からの光を入射し、導光板若しくは拡散板の表面から光を出射する方式、電界発光型素子であるエレクトロルミネッセンス（ＥＬ）から光を出射する方式等がある。エレクトロルミネッセンスは、発光素子の薄さの点、省電力等位から好適であり、その中でも、その基板がフレキシブルなプラスチックフィルムからなる有機ＥＬ素子が最も好ましい。本実施の形態では、有機ＥＬ素子を用いている。【００３０】
以下、照明パネルを天井に配設した場合を例にして説明する。【００３１】
図１及び図２は、照明ユニットパネル１１の一例を示す概略図である。図１は照明ユニットパネル１１をその表面方向（即ち、床方向）から天井方向を見た図であり、図２は側面から見た図である。【００３２】
照明ユニットパネル１１の基台１０１に面状光源１０２が、表面になるように取り付けられる。図１は面状光源１０２を９個設けた例である。取り付けられる面状光源の個数はこれに限定されるものではない。面状光源１０２の大きさ、照明ユニットパネル１１の大きさ等から適宜設定される。【００３３】
基台１０１の内部には直流配線１３１、１３２が設けられ、直流配線１３１、１３２の各＋配線どうし及び−配線どうしは接続されている。基台１０１の各側面の中央部には、直流配線１３１と接続された接続端子であるコネクター１３１ａ及び１３１ｂが、直流配線１３２と接続されたコネクター１３２ａ及び１３２ｂが、設けられている。本実施の形態では、コネクター１３１ａ、１３２ａを雄型とし、１３１ｂ、１３２ｂを雌型としている。コネクター１３１ａ、１３１ｂ、１３２ａ、１３２ｂは外部コネクター、例えば電源コネクター及び他の照明ユニットパネルのコネクターと接続する。【００３４】
図１４に、コネクターの一例を示す。図１４（ａ）は、コネクター１３１ａ、１３２ａの例を、図１４（ｂ）は、コネクター１３１ｂ、１３２ｂの例を示す。コネクター１３１ａ、１３２ａは奥行き方向に可動可能で、バネ等の付勢部材で出っ張り方向に付勢されている。接続時は、コネクター１３１ａ、１３２ａとコネクター１３１ｂ、１３２ｂとが嵌合する。嵌合すると図１４（ａ）及び図１４（ｂ）の（＋）接点どうしが、図１４（ａ）及び図１４（ｂ）の（−）接点どうしが、それぞれ接触し電気的に接続される。マグネットは、マグネット吸着板に吸着し、前記接点の接触を維持する。【００３５】
面状光源１０２は、その（＋）、（−）の電極端子を介し直流配線１３１、１３２の何れかの＋配線及び−配線とそれぞれ接続される。図１に、右上側の面状光源１０２が直流配線１３２に接続された例を示す。図中、面状光源１０２の（＋）、（−）は、それぞれ（＋）、（−）の電極端子を示す。このようにして全ての面状光源１０２が接続され、面状光源１０２に電力が供給される。これにより、面状光源１０２の何れかが断線故障により発光しなくなっても他の面状光源１０２は発光を維持できる。また個別の交換も容易となる。【００３６】
また、面状光源１０２の何れかにリーク故障が発生する場合を考慮して、基台１０１内の面状光源１０２は、図１０のように、直列接続することが好ましい。図１０は、９個の面状光源１０２を直列接続した例である。直列接続とする面状光源１０２の個数は、これに限定されるものではない。これにより、リーク故障時の過大な電流の発生を低減できる。【００３７】
図１１は、本実施の形態で、面状光源１０２に用いている有機ＥＬ素子の概略図である。面状光源１０２の（＋）、（−）の電極端子は、図１１に示すように、四角形状の隣り合った２辺が同極となるようにそれぞれ配置とされることが好ましい。これにより、様々な接続方法に対応できる。【００３８】
天井には照明ユニットパネル１１に直流の電力を供給する電源配線１ｂ及び電源コネクター１ａが設けられる。電源コネクター１ａとコネクター１３１ａとが接続され、照明ユニットパネル１１に電力が供給される。図１は接続前の状態を示す。電源コネクター１ａとコネクター１３１ａとの接続は、電源コネクター１ａと照明ユニットパネル１１（即ち、コネクター１３１ａ）の何れかを移動することで行われる。また、照明ユニットパネル１１は天井に支持部材（不図示）により固定される。【００３９】
図３は、照明ユニットパネル１１を複数接続する例であり、接続前の状態を示す。中央の照明ユニットパネル１１の方向に左右の照明ユニットパネル１１を移動してコネクターどうしを接続する。接続した後、各照明ユニットパネル１１は支持部材（不図示）で天井に固定される。図３の図面下側にも照明ユニットパネル１１を接続可能である。図３は複数の照明ユニットパネル１１を、間隔を置かず配置する例であるが、間隔を置いて配置する場合は、照明ユニットパネル１１のコネクター間を両端にコネクターを有する接続配線部材で接続することで行うことができる。何も接続されないコネクターが生じる場合には、埃等の付着を防止するため前記コネクターを保護キャップ等で覆うことが好ましい。【００４０】
また、前記接続配線部材を用いず、照明ユニットパネル１１と同形状で、配線のみを備えた配線パネル（ダミーパネル）を用いて接続してもよい。図１２は、配線パネル２１の例を示す図である。照明ユニットパネル１１が配設される面の凹凸の減少等の面から、配線パネル２１を用いることが好ましい。【００４１】
本発明の照明ユニットパネル１１は、２つ以上の接続端子を有するが、照明ユニットパネル１１を二次元方向にも複数接続する場合には、３つ以上の接続端子を有することが好ましい。更に、上述のように４つの各辺にそれぞれ接続端子を有することが好ましい。照明ユニットパネル１１が四角形状であり、４つの各辺にそれぞれ接続端子を有することによって、照明ユニットパネルのレイアウトの自由度が高まるだけでなく、照明ユニットパネルどうしが支え合って、構成する天井面や壁面の強度を高めることができる。【００４２】
また、照明ユニットパネル１１の増設に際し、新たに電源配線を行うことなく容易に増設ができる。また、交換も容易となる。照明ユニットパネル１１は、室内の照明仕様に応じて適宜配設され、室内を照明する。【００４３】
また、前述にように、天井には照明装置以外にユーティリティー機器（以下、機器ともいう）が設けられることが多い。例えば、火災報知器の熱、煙等の感知器、音響スピーカー、非常灯、非常ベル、監視カメラがある。これらの機器の配設に関し、前記機器を照明ユニットパネル１１の表面に設けることが好ましい。図４は照明ユニットパネル１１の表面に機器１４１を配設した例である。これにより、機器を天井に配設する際の取り付け工事が不要になる。【００４４】
更に、これらの機器には電力を供給する必要があるため、面状光源１０２と機器１４１の電源が共通であること、即ち機器１４１は直流駆動型であることが好ましい。この場合、機器１４１は面状光源１０２と同様に直流配線１３１、１３２の何れかに接続される。これにより、機器を天井に配設する際の取り付け工事及び電源の配線工事が不要になる。更に、機器１４１の配設を他の照明ユニットパネル１１に移動すること、及び複数の照明ユニットパネル１１に複数の機器１４１を配設すること等、配設の自由度を高めることができる。【００４５】
照明ユニットパネル１１の表面に、機器１４１に換えて空調換気口１４２を設けることもできる。図５は、空調換気口１４２を設けた照明ユニットパネル１１を側面から見た図である。天井の空調設備２の位置に空調換気口１４２を合わせるように照明ユニットパネル１１は配設される。【００４６】
機器１４１及び空調換気口１４２は、照明ユニットパネル１１内ではなく、照明ユニットパネル１１と同形状で、同様の配線を備えた機器専用の機器パネル（不図示）に単独に設けることもできる。【００４７】
ここで、前記面状光源１０２を取り付けた照明ユニットパネル１１を天井の広範囲に配設した場合、室内音が反響し易くなる。この場合には、照明ユニットパネル１１の面状光源１１、機器１４１、空調換気口１４２の部分以外の表面に吸音材１４３を配設することが好ましい。図６は、面状光源１０２及び機器１４１を配設した照明ユニットパネル１１に吸音材１４３を配設した例である。吸音材１４３としては、穴あきスポンジ等一般的に知られている吸音材を用いることができる。【００４８】
また、前記反響を打ち消す方法として、室内の音響を感知する音響モニターを室内に設け、前記音響モニターが感知した音響の位相差音を発する音響位相差コントロール機能を有する音響スピーカーを、図４の機器１４１に示す位置に配設してもよい。【００４９】
ここで、機器１４１には、停電時にも機能することを要するものもある。例えば火災報知器の熱、煙等の感知器非常灯、非常ベル等である。また、面状光源の１０２を非常灯として用いることもできる。このため、停電時に電力を供給する蓄電池を直流配線１３１、１３２に接続することが好ましい。前記蓄電池は、図１の電源配線１ｂに接続される。【００５０】
また、前記蓄電池を、停電時に機能することを要する照明ユニットパネル１１の各々に内蔵してもよい。図７は照明ユニットパネル１１に蓄電池１５１を内蔵し、蓄電池１５１と直流配線１３１を接続した例である。【００５１】
上記により室内をほぼ一様に照明することができるが、必要な場所のみの照明とすることもできる。これは、人を感知する人追尾センサを室内に配設し、前記人追尾センサで感知した人の周囲のみ、即ち照明が必要とする場所のみに相当する照明ユニットパネル１１で照明することで行われる。また、前記人追尾センサが人を感知しない、即ち室内に人がいない場合には消灯することもできる。これにより省電力化を図ることができる。【００５２】
図９は、照明ユニットパネル１１の配設例を示す図である。図９の例では、天井に照明ユニットパネル１１を１列に５個配設し、それを、間隔を置き３列配設している。間隔を置いた照明ユニットパネル１１間は、接続配線部材で接続している。また、照明ユニットパネル１１が不要箇所には配線パネル２１が配設される。【００５３】
図１３は、間隔を置かずに配設した例である。照明ユニットパネル１１及び配線パネル２１が全面に配設される。照明ユニットパネル１１及び配線パネル２１は、室内の照明仕様に応じ、適宜配設される。【００５４】
図１３の例は、図９の例に対し、照明ユニットパネル１１及び配線パネル２１の位置変更、個数変更等を行い易く、照明仕様の変更に対応しての変更が容易となる。また、図９及び図１３の例において、例えば四隅等で、照明も配線も不要な箇所には、照明ユニットパネル１１と同形状で、配線も備えず、コネクター１３１ａ及び１３２ａの逃げ部のみを備えたダミーパネル（不図示）を配設してもよい。【００５５】
前述のように電源配線１ｂには直流電力が供給される。前記直流電力は、電力会社から供給される商用電力を直流に変換して供給されるが、更に電源配線１ｂを太陽光発電システム、コ・ジェネレーションシステム及び燃料電池の何れか１つ以上と接続し、直流電力を供給することが好ましい。これにより、商用電力の削減、環境負荷の削減を図ることができる。【００５６】
図８は、直流電力として商用電力、太陽光発電システム、コ・ジェネレーションシステム及び燃料電池を用いた例を示す図である。コ・ジェネレーションシステムとしては、ガス発電システムが好ましく用いられる。また、コ・ジェネレーションシステムで生じた廃熱を冷暖房、給湯、蒸気発電等に用いることで更にエネルギー利用率を高めることができる。図中、制御装置は、商用電力の交流を直流に変換したり、供給する直流の安定化を行ったりする。【００５７】
上記説明では、照明ユニットパネル１１は、天井に配設する照明装置としたが壁面に配設して壁面照明装置、また床近傍の壁面に配設し足元照明装置等に応用することもできる。更に、前記直流電力を室内のコンセントに供給し、直流コンセントとして直流駆動機器（例えば、ノートＰＣ等）の電源とすることもできる。
【図１】
2009072386.tif 000003
【図３】
2009072386.tif 000004
【図１０】
2009072386.tif 000005
【図１１】
2009072386.tif 000006
【図１２】
2009072386.tif 000007
【図１３】
2009072386.tif 000008
【図１４】
2009072386.tif 000009
【図２】
2009072386.tif 000010
【図４】
2009072386.tif 000011
【図５】
2009072386.tif 000012
【図６】
2009072386.tif 000013
【図７】
2009072386.tif 000014
【図８】
2009072386.tif 000015
【図９】
2009072386.tif 000016
【国際調査報告】
2009072386.tif 000017
2009072386.tif 000018
2009072386.tif 000019
2009072386.tif 000020